(57)【特許請求の範囲】
【請求項１】
回転軸の押込力に対抗する方向に回転子ケースを支持し、弾性を有する板状の第１支持部材と、
前記第１支持部材により前記回転子ケースに生成される反力に対抗する方向に前記回転子ケースを支持するための第２支持部材と、
を含むことを特徴とする回転子組立用ジグ。
【請求項２】
前記第２支持部材は弾性を有することを特徴とする請求項１に記載の回転子組立用ジグ。
【請求項３】
前記第１支持部材は、前記回転子ケースに取り付けられた記録媒体の滑り防止用ゴムリングと同一の材質および厚さを有することを特徴とする請求項１に記載の回転子組立用ジグ。
【請求項４】
前記第１支持部材は、前記回転子ケースのゴムリング非付着面の全体を支持することを特徴とする請求項１に記載の回転子組立用ジグ。
【請求項５】
前記第２支持部材は、前記第１支持部材に対応する位置で前記回転子ケースを支持することを特徴とする請求項１に記載の回転子組立用ジグ。
【請求項６】
回転軸の押込力に対抗する方向に回転子ケースの下側で前記回転子ケースを接触支持し、弾性を有する板状の支持板と、
前記支持板により前記回転子ケースに生成される反力に対抗する方向に前記回転子ケースを支持するための案内ジグと、
前記回転子ケース側に前記案内ジグを弾力的に押圧するためのスプリングと、
を含むことを特徴とする回転子組立用ジグ。
【請求項７】
前記支持板は、前記回転子ケースに取り付けられる記録媒体の滑り防止用ゴムリングと同一の材質および厚さを有することを特徴とする請求項６に記載の回転子組立用ジグ。
【請求項８】
前記支持板は、前記回転子ケースのゴムリング非付着面の全体を支持することを特徴とする請求項７に記載の回転子組立用ジグ。
【請求項９】
前記案内ジグは、前記支持板に対応する位置で前記回転子ケースを支持することを特徴とする請求項６に記載の回転子組立用ジグ。
【請求項１０】
前記案内ジグは、前記回転軸を前記回転子ケースに案内するための貫通孔を有することを特徴とする請求項６に記載の回転子組立用ジグ。
【請求項１１】
前記回転軸に前記押込力を印加するための上部ジグをさらに含み、前記上部ジグは、少なくとも一部が前記貫通孔に挿入されて前記回転軸を押圧する押圧突起を有することを特徴とする請求項１０に記載の回転子組立用ジグ。
【請求項１２】
前記上部ジグは、前記スプリングの一端を支持することを特徴とする請求項１１に記載の回転子組立用ジグ。
【請求項１３】
前記押込力に対抗する方向に前記支持板を支持するための下部ジグをさらに含み、前記下部ジグは、前記案内ジグおよび前記回転子ケースを収容する収容空間部を有することを特徴とする請求項１０に記載の回転子組立用ジグ。
【請求項１４】
前記収容空間部は、前記支持板が取り付けられる底面を有することを特徴とする請求項１３に記載の回転子組立用ジグ。
【発明の詳細な説明】
【技術分野】
【０００１】
本発明は回転子組立用ジグに係り、より詳しくは回転子ケースに回転軸を押し込むとき、回転子ケースの変形を防止することができる回転子組立用ジグに関するものである。
【背景技術】
【０００２】
回転子は、例えばハードディスクドライブ（Ｈａｒｄ  Ｄｉｓｋ  Ｄｒｉｖｅ）またはＣＤドライブ（ＣＤ−Ｄｒｉｖｅ）に取り付けられるスピンドルモーターに適用される部品で、回転子ケースとこの回転子ケースを軸支する回転軸とからなり、回転子ケースには、記録媒体の滑りを防止するためのゴムリングが取り付けられている。
【０００３】
スピンドルモーターの回転子は、押込力を印加するジグを使用して、回転子ケースに回転軸を押し込んで組み立てられる。このような回転子組立用ジグの一例を図３および図４に概略的に示す。
【０００４】
図３および図４に示すように、従来の回転子組立用ジグ２００は、上部ジグ２１０、下部ジグ２２０、および案内ジグ２４０から構成されている。回転子２６０は、回転子ケース２６１、ゴムリング２６２および回転軸２６３から構成されている。
【０００５】
上部ジグ２１０は回転軸２６３に押込力を印加するためのもので、板状の本体部２１１、および回転軸２６３を押圧する押圧突起２１２を有し、押圧突起２１２は少なくとも一部が案内ジグ２４０に挿入されて回転軸２６３を直接押圧する。
【０００６】
下部ジグ２２０は回転子ケース２６１を支持するためのもので、板状の本体部２２１、および回転子ケース２６１を収容する収容空間部２２２を有し、収容空間部２２２は、底面が回転子ケース２６１に適合するように段差状に形成され、回転子ケース２６１のホルダー２６４が挿入される挿入孔２２３を有する。
【０００７】
案内ジグ２４０は押し込まれる回転軸２６３を回転子ケース２６１に案内するためのもので、回転子ケース２６１のホルダー２６４側に開放される貫通孔２４１を有する。
【０００８】
図４に示すように、押込力によって回転軸２６３が回転子ケース２６１に押し込まれる。
【０００９】
まず、下部ジグ２２０の収容空間部２２２内に回転子ケース２６１が載置され、案内ジグ２４０が回転子ケース２６１の上側に配置される。
【００１０】
ついで、回転軸２６３が貫通孔２４１に挿入されてホルダー２６４側に案内され、上部ジグ２１０の押圧突起２１２によってホルダー２６４に押し込まれる。この際、上部ジグ２１０は矢印方向Ａの押込力で回転軸２６３を押圧し、上部ジグ２１０の下側面と下部ジグ２２０の上側面が当接すれば、回転軸２６３の押込みが終了する。
【００１１】
しかし、回転子ケース２６１のゴムリング非付着面２６５が下部ジグ２２０に支持されないから、回転軸２６３の押込みの際、回転子ケース２６１が押込方向Ａに曲がって変形してしまう問題点があった。
【発明の開示】
【発明が解決しようとする課題】
【００１２】
本発明は前述した従来技術の問題点を解決するためになされたもので、本発明の目的は、支持板を使用して、回転軸の押込力に対抗する方向にゴムリング非付着面を支持し、支持板により生成される反力に対抗する方向に回転子ケースを押圧することにより、回転子ケースの変形を防止する回転子組立用ジグを提供することにある。
【課題を解決するための手段】
【００１３】
前述した本発明の目的を達成するため、本発明の一実施例によれば、回転軸の押込力に対抗する方向に回転子ケースを支持するための第１支持部材；および前記第１支持部材により前記回転子ケースに生成される反力に対抗する方向に前記回転子ケースを支持するための第２支持部材；を含むことを特徴とする回転子組立用ジグを提供する。
【００１４】
前記第１および第２支持部材の少なくとも一つは弾性を有することを特徴とする。
【００１５】
前記第１支持部材は、前記回転子ケースに取り付けられた記録媒体の滑り防止用ゴムリングと同一の材質および厚さを有することを特徴とする。
【００１６】
前記第１支持部材は、前記回転子ケースのゴムリング非付着面の全体を支持することを特徴とする。
【００１７】
前記第２支持部材は、前記第１支持部材に対応する位置で前記回転子ケースを支持することを特徴とする。
【００１８】
本発明の他の実施例によれば、回転軸の押込力に対抗する方向に回転子ケースを支持するための支持板；前記支持板により前記回転子ケースに生成される反力に対抗する方向に前記回転子ケースを支持するための案内ジグ；および前記回転子ケース側に前記案内ジグを弾力的に押圧するためのスプリング；を含むことを特徴とする回転子組立用ジグを提供する。
【００１９】
前記支持板は弾性を有することを特徴とする。
【００２０】
前記支持板は、前記回転子ケースに取り付けられる記録媒体の滑り防止用ゴムリングと同一の材質および厚さを有することを特徴とする。
【００２１】
前記支持板は、前記回転子ケースのゴムリング非付着面の全体を支持することを特徴とする。
【００２２】
前記案内ジグは、前記支持板に対応する位置で前記回転子ケースを支持することを特徴とする。
【００２３】
前記案内ジグは、前記回転軸を前記回転子ケースに案内するための貫通孔を有することを特徴とする。
【００２４】
前記回転軸に前記押込力を印加するための上部ジグをさらに含み、前記上部ジグは、少なくとも一部が前記貫通孔に挿入されて前記回転軸を押圧する押圧突起を有することを特徴とする。
【００２５】
前記上部ジグは、前記スプリングの一端を支持することを特徴とする。
【００２６】
前記押込力に対抗する方向に前記支持板を支持するための下部ジグをさらに含み、前記下部ジグは、前記案内ジグおよび前記回転子ケースを収容する収容空間部を有することを特徴とする。
【００２７】
前記収容空間部は、前記支持板が取り付けられる底面を有することを特徴とする。
【発明の効果】
【００２８】
本発明の回転子組立用ジグによれば、支持板でゴムリング非付着面を支持し、支持板に対応する位置でスプリングが取り付けられた案内ジグで回転子ケースを押圧することにより、回転軸の押込みの際、回転子ケースの変形を防止することができる。
【発明を実施するための最良の形態】
【００２９】
以下、添付図面を参照して、本発明の好ましい実施例による回転子組立用ジグについて詳細に説明する。
【００３０】
図１および図２に示すように、本発明の実施例による回転子組立用ジグ１００は、上部ジグ１１０、下部ジグ１２０、第１支持部材として利用できる支持板１３０、第２支持部材として利用できる案内ジグ１４０およびスプリング１５０を含み、回転子１６０は、回転子ケース１６１、ゴムリング１６２および回転軸１６３を含む。前記回転子ケース１６１は、例えば図示のように、その外周部分が上方に開口した円環状縁部を有する円形皿状に形成され、この皿の底面部は、その深さが中央部で浅く、周縁部で深くなるように段差を有する板状に形成されている。そして、前記回転子ケース１６１の中央には下方に立ち上がる筒状のホルダー１６４が設けられている。
【００３１】
上部ジグ１１０は回転軸１６３に押込力Ａを印加するためのもので、板状の本体部１１１、および回転軸１６３を押圧する押圧突起１１２からなる。
【００３２】
本体部１１１は、案内ジグ１４０の少なくとも上部を収容する環状の収容空間部１１３を備え、収容空間部１１３の底面に例えば螺旋状のスプリング１５０の末端が支持されることにより、案内ジグ１４０を回転子ケース１６１側に押圧することができる。ここで、収容空間部１１３の底面は案内ジグ１４０の上端面と接触せず、案内ジグ１４０はスプリング１５０によってだけ押圧されることが望ましい。
【００３３】
押圧突起１１２は本体部１１１の中央から回転子ケース１６１側に伸びるように形成され、少なくとも一部が案内ジグ１４０に挿入されることによって、回転子ケース１６１に回転軸１６３を押し込む。ここで、押圧突起１１２は、上部ジグ１１０の押込力或いは押圧力を回転軸１６３に直接印加することになる。
【００３４】
下部ジグ１２０は回転子ケース１６１を支持するためのもので、中央部に収容空間部１２２が形成された板状の本体部１２１を有する。
【００３５】
収容空間部１２２は、その内部に回転子ケース１６１を収容し、底面が回転子ケース１６１に適合するように段差状に形成される。また、収容空間部１２２の底面の中央部には、回転子ケース１６１のホルダー１６４が挿入される凹状の挿入孔１２３が形成される。
【００３６】
また、収容空間部１２２内に載置される回転子ケース１６１は、記録媒体の滑り防止用ゴムリング１６２によって、収容空間部１２２の底面からゴムリング１６２の厚さの分だけ軸方向に一様な間隔をもって離隔される。
【００３７】
支持板１３０は回転軸１６３の押込力に対抗する方向Ｂに回転子ケース１６１を支持するためのもので、より具体的には、回転子ケース１６３のゴムリング非付着面１６５の全体を支持する。ここで、支持板１３０はゴムリング１６２と同一材質から製造されていて弾性を有し、ゴムリング１６２と同一厚さを有することが望ましい。即ち、前記支持板１３０は、ゴムリング非付着面１６５に対応する位置において、収容空間部１２２の底面に相当する下部ジグ本体部１２１の上面と前記回転子ケース１６１の下面との隙間を埋めて密着して支持できるように設けられる。
【００３８】
本実施例において、回転子ケース１６１と収容空間部１２２との間に形成される２部分の空隙で、ゴムリング非付着面１６５は二つの支持板１３０によって支持できる。前記２部分は、前記回転子ケース１６１の皿状底面部の深さが浅い中央部及び深い周縁部にそれぞれ対応する部分ということができる。
【００３９】
また、支持板１３０は収容空間部１２２の底面に相当する下部ジグ本体部１２１の上面に堅く取り付けられる。この際、所定の接着剤を使用して接合されることが望ましい。
【００４０】
ここで、回転軸１６３の押込みの際、支持板１３０により、回転子ケース１６１には、押込力Ａに対抗する方向Ｂに反力、換言すれば反作用による力が生成されるが、これは下記の案内ジグ１４０およびスプリング１５０により解消或いは抑制できる。
【００４１】
案内ジグ１４０は回転子ケース１６１に生成される反力Ｂに対抗する方向Ｃに回転子ケース１６１を支持するためのもので、より具体的には、支持板１３０に対応する位置で回転子ケース１６１を押圧して支持するように作用し、中央には貫通孔１４１が形成されている。
【００４２】
貫通孔１４１は回転子ケース１６１のホルダー１６４側に通じるように孔開けされ、回転軸１６３をホルダー１６４に案内する。
【００４３】
また、案内ジグ１４０は、回転子ケース１６１を支持する下側面が回転子ケース１６１に適合するように段差状に形成されて、回転子ケース１６１の全面を押圧して支持する。
【００４４】
また、案内ジグ１４０には、スプリング１５０が挿設される取付け溝１４２が形成され、取付け溝１４２は、スプリング１５０の一端が上部ジグ１１０に接触するように、上部ジグ１１０側に開放される。前記取付け溝１４２は、前記貫通孔１４１と同軸的位置に形成されていて、取付け溝１４２と前記貫通孔１４１との間には筒状壁部が形成されている。
【００４５】
スプリング１５０は回転子ケース１６１側に案内ジグ１４０を弾力的に押圧するためのもので、案内ジグ１４０の取付け溝１４２に挿設され、スプリング１５０の下端は取付け溝１４２の底に支持され、上端は上部ジグ１１０に支持される。
【００４６】
ここで、前記案内ジグ１４０の下端面の形状と下部ジグ１２０の収容空間部１２２の底面の形状との関係について説明を加えると、この実施例では、案内ジグ１４０下端面及び下部ジグ１２０の収容空間部１２２底面は、前記回転子ケース１６１の皿状底部の上下面の形状に応じて、互に相補的な凹凸面を有する形状とされいる。
【００４７】
前述した構成のジグ１００を使用して、回転子ケース１６１に回転軸１６３を押し込む過程を図２に基づいて説明する。
【００４８】
図２に示すように、押込力により回転子ケース１６１に回転軸１６３が押し込まれる。
【００４９】
まず、下部ジグ１２０の収容空間部１２２内に回転子ケース１６１が載置される。この際、回転子ケース１６１のホルダー１６４が挿入孔１２３に挿入され、ゴムリング１６２により収容空間部１２２の底面から多少離隔される回転子ケース１６１のゴムリング非付着面１６５は、下部ジグ１２０に付着された支持板１３０により支持される。
【００５０】
ついで、スプリング１５０が取り付けられた案内ジグ１４０が回転子ケース１６１の上側に配置される。この際、案内ジグ１４０の貫通孔１４１とホルダー１６４が正確に一致し、案内ジグ１４０の下側面が回転子ケース１６１の上面の全体を支持することになる。
【００５１】
そして、回転軸１６３が案内ジグ１４０の貫通孔１４１に挿入されてホルダー１６４に案内される。
【００５２】
ついで、上部ジグ１１０が案内ジグ１４０の上側に配置され、押込力Ａの印加の際、押圧突起１１２で回転軸１６３を押圧してホルダー１６４に押し込む。この際、上部ジグ１１０はスプリング１５０に接触し、矢印方向Ｃに案内ジグ１４０を押圧して、支持板１３０およびゴムリング１６２により回転子ケース１６１に生成される反力を相殺する。そして、上部ジグ１１０の下側面と下部ジグ１２０の上側面が当接すれば、回転軸１６３の押込みが終了する。
【００５３】
以上、本発明の好ましい実施例を参照して本発明の回転子組立用ジグについて説明したが、当業者であれば、本発明の思想を逸脱しない範囲内で、多様な修正、変更および変形実施例が可能であろう。
【産業上の利用可能性】
【００５４】
本発明は、支持板を使用して、回転軸の押込力に対抗する方向にゴムリング非付着面を支持し、支持板により生成される反力に対抗する方向に回転子ケースを押圧することにより、回転子ケースの変形を防止する回転子組立用ジグに適用可能である。
【図面の簡単な説明】
【００５５】
【図１】本発明の好ましい実施例による回転子組立用ジグの分解断面図である。
【図２】図１の回転子組立用ジグによる回転子組立状態を示す概略断面図である。
【図３】従来の回転子組立用ジグの分解断面図である。
【図４】図３の回転子組立用ジグによる回転子組立状態を示す概略断面図である。
【符号の説明】
【００５６】
１００    回転子組立用ジグ
１１０    上部ジグ
１１１    押圧突起
１２０    下部ジグ
１２２    収容空間部
１２３    挿入孔
１３０    支持板
１４０    案内ジグ
１４１    貫通孔
１４２    取付け溝
１５０    スプリング
１６０    回転子
１６１    回転子ケース
１６２    ゴムリング
１６３    回転軸
１６５    ゴムリング非付着面
【図１】
0004673336.tif 000002
【図２】
0004673336.tif 000003
【図３】
0004673336.tif 000004
【図４】
0004673336.tif 000005